(57)【特許請求の範囲】
【請求項１】
容器本体の上端開口部を密封する、アルミニウム箔を含まない積層体で構成される蓋材であって、該積層体は、最外層が紙層で、最内層が易ピール性シーラント層でなり、それらの間に基材フィルム層を有し、
外周縁に前記容器本体の上端開口部から蓋材を剥離して開封するための開封用プルタブを有する蓋材において、
前記紙層の裏面と基材フィルム層面とが前記剥離方向と直交する方向に延びる万線状の接着部で接着しており、かつ、この万線状の接着部の延びる方向が紙層の紙目方向と略一致することを特徴とする蓋材。
【請求項２】
前記易ピール性シーラント層もしくは該易ピール性シーラント層と基材フィルム層に複数の切込み線が、もしくは前記紙層に複数の切込み線もしくは折り罫が万線状の接着部と平行に設けられていることを特徴とする請求項１記載の蓋材。
【発明の詳細な説明】
【０００１】
【発明の属する技術分野】
本発明は、上端に開口部を有し、かつ上端周縁にフランジ部を有する容器本体の、前記フランジ部のシール密封に適した紙を主体とした蓋材に関するものであり、特に即席麺等を収納し、熱湯を注いで食する容器の蓋材でアルミニウム箔を含まない構成の蓋材に関する。
【０００２】
【従来の技術】
従来、例えば即席麺や即席スープ等を収納する容器で、上端に開口部を有し、かつ上端周縁にフランジ部を有する容器本体の前記フランジ部をシール等で密封する紙を主体とした蓋材として、紙層の下面にアルミニウム箔、易ピール性のシーラント層が積層されたものが知られている。
【０００３】
このようなアルミニウム箔が積層されている蓋材は、水蒸気等のバリア性、熱等に対する寸法安定性、充填機適性（容器に内容物を充填し、この蓋材でシールする時の蓋材がカールしていないこと）、遮光性等に優れ、さらにこの容器の開封に際し、フランジ部にシールされている蓋材をその周縁の開封用プルタブを持ち上げながら略中心部まで剥がすと、上記のようなアルミニウム箔を介在させた構成の蓋材は、剥がしたままの状態を維持できる性質（以下デッドホールド性という）を有するものである。すなわちこのデッドホールド性により、例えば即席ラーメンなどでは、剥がして半開きの状態のまま容易に熱湯を注ぐことができ、次いで一旦もとに戻して再封し麺を温めほぐし柔らかくしてから、再開封して食することができるものである。このように蓋材にアルミニウム箔の介在は、各面での有用な特性を有するものであった。
【０００４】
【発明が解決しようとする課題】
しかしながら、上記のようなアルミニウム箔が介在する構成の蓋材においては、使用後の焼却処理において、アルミニウム箔が炉中にインゴットとして絡みついて焼却炉を傷めたり、それによって焼却効率を低下させ、結果として煤煙やダイオキシンの発生に繋がったりする問題があり、また、その焼却灰の埋立処分において雨水等との反応による有害ガスの発生等があり、いわゆる環境に係わる問題が数多くあるものであった。
【０００５】
さらにまた、蓋材にアルミニウム箔が介在すると、内容物が収納された容器中に金属系切り粉など金属系の異物が混入することを検査する金属探知機の使用を不可能にしていて、このような金属探知機使用による検査法を可能とする容器とその蓋材が要望されていた。
【０００６】
本発明は、かかる従来技術の問題点や要望点を解決するものであり、その課題とするところは、廃棄物に係わる環境問題の危惧がなく、金属探知機による製品の検査を可能にし、アルミニウム箔が含まなくとも充分なデッドホールド性を有する蓋材を提供することにある。
【０００７】
【課題を解決するための手段】
本発明に於いて上記課題を達成するために、まず請求項１の発明では、容器本体の上端開口部を密封する、アルミニウム箔を含まない積層体であって、該積層体は、最外層が紙層で、最内層が易ピール性シーラント層でなり、それらの間に基材フィルム層を有し、外周縁に前記容器本体の上端開口部から剥離して開封する開封用プルタブを有する蓋材において、前記紙層の裏面と基材フィルム層面とが前記開封用プルタブの剥離方向と直交する方向に延びる万線状の接着部で接着していることを特徴とする蓋材としたものである。
【０００８】
上記請求項１の発明によれば、紙層の裏面と基材フィルム層面とが前記開封用プルタブの剥離方向と直交する方向に延びる万線状の接着部を設けることによって、開封用プルタブを持って剥離開封すると、前記万線状の接着部以外の非接着部で折り曲げられ易くなるので、この蓋材にデッドホールド性が発現するようになる。
【０００９】
また、請求項２の発明では、前記万線状の接着部の延びる方向が紙層の紙目方向と略一致することを特徴とする請求項１記載の蓋材としたものである。
【００１０】
上記請求項２の発明によれば、万線状の接着部以外の非接着部の延びる方向が紙目と略同じ方向とすることによって、紙層の万線状の非接着部で紙目に沿ってより曲がり易くなり、よってこの蓋材により大きなデッドホールド性が発現するようになる。
【００１１】
さらにまた、請求項３の発明では、前記易ピール性シーラント層もしくは該易ピール性シーラント層と基材フィルム層に複数の切込み線が、もしくは前記紙層に複数の切込み線もしくは折り罫が万線状の接着部と平行に設けられていることを特徴とする請求項１または２記載の蓋材としたものである。
【００１２】
上記請求項３の発明によれば、裏面の易ピール性シーラント層から複数本の切込み線を、あるいは表面の紙層から複数本の切込み線もしくは折り罫を万線状の接着部と平行に設けることによって、紙層が切込み線もしくは折り罫に従って曲がり易くなり、さらにより大きなデッドホールド性が発現する蓋材とすることができる。
【００１３】
上記でいう万線とは、網点でなく、無数の直線を集めて中間濃度を表現したもので、直線は等間隔に平行に配置されたものをいう（印刷辞典：日本印刷学会編）。
【００１４】
【発明の実施の形態】
以下本発明の実施の形態を図面を用いて詳細に説明する。
本発明は、図１の斜視図に示すように、上端に開口部を有し、かつ上端周縁にフランジ部（１２）を有する容器本体（１０）の、そのフランジ部（１２）のシール密封に適した紙を主体とした蓋材（２０）に関するものであり、特に即席麺等を収納し、熱湯を注いで食する容器の蓋材（２０）で、周縁に開封用プルタブ（２２）を有し、環境保全に配慮し、かつ金属系の異物混入の検査を可能にするため、従来のようなアルミニウム箔が積層されていない構成の蓋材（２０）に関するものである。
【００１５】
上記本発明の蓋材（２０）は、例えば図２（ａ）の積層断面図に示すように、最外層が紙層（１４）で、最内層が易ピール性シーラント層（１６）でなり、それらの間に基材フィルム層（１５）を有し、外周縁に前記容器本体の上端開口部から剥離して開封する開封用プルタブ（２２）を有する蓋材（２０）において、前記紙層（１４）の裏面と基材フィルム層（１５）面とが、開封用プルタブ（２２）を持って容器本体（１０）のフランジ部（１２）から剥離開封する剥離方向（Ｐ）と直交する方向に延びる万線状の接着部（１７）で接着している蓋材（２０）である。
【００１６】
このように、紙層（１４）と基材フィルム層（１５）面とが接着している万線状の接着部（１７）以外の非接着部（１８）が、この万線状の非接着部（１８）に沿って折り曲げられ易くなるので、開封用プルタブ（２２）を持って容器本体（１０）のフランジ部（１２）から剥離開封すると、この蓋材（２０）にデッドホールド性が発現するようになるものである。
【００１７】
上記万線状の接着部（１７）の他の形状として、例えば図２（ｂ）の積層断面図に示すように、最外層が紙層（１４）で、最内層が易ピール性シーラント層（１６）でなり、それらの間に基材フィルム層（１５）を有する蓋材（２０）で、前記紙層（１４）の裏面と基材フィルム層（１５）面とが、開封用プルタブ（図示せず）の剥離方向（Ｐ）と直交する方向に延びる万線状の易剥離層（１９）を除いた接着部（１７）で接着している蓋材（２０）とすることもできる。即ちこの万線状の易剥離層（１９）が、図２（ａ）に示す非接着部（１８）に相当するものである。
【００１８】
また、本発明では、図３の平面図に示すように、例えば万線状の接着部（１７）の延びる方向（Ｏ）が、紙層（１４）の紙目方向（Ｋ）と略同じである蓋材（２０）としたものである。
【００１９】
このように、万線状の接着部（１７）の延びる方向（Ｏ）と紙層（１４）の紙目方向（Ｋ）を略同じ方向とすることによって、紙層（１４）の万線状の非接着部（１８）で紙目に沿ってより曲がり易くなり、よってこの蓋材（２０）により大きなデッドホールド性が発現するようになるものである。
【００２０】
さらにまた、本発明では、図４の積層断面図に示すように、例えば易ピール性シーラント層（１６）と基材フィルム層（１５）に複数本の切込み線（３０）が、万線状の接着部（１７）の延びる方向と平行に設けられている蓋材（２０）としたものである。
【００２１】
あるいは、図５の積層断面図に示すように、例えば最外層の紙層（１４）に複数本の折り罫（３２）が、万線状の接着部（１７）の延びる方向と平行に設けられている蓋材（２０）としたものである。この折り罫（３２）に代わりミシン目などの切込み線としてもよい。
【００２２】
このように、裏面の易ピール性シーラント層（１６）に複数本の切込み線（３０）を、あるいは表面の紙層に複数本の折り罫（３２）を万線状の接着部（１７）と平行に設けることによって、特に紙層（１４）が切込み線（３０）あるいは折り罫（３２）に従って曲がり易くなり、さらにより大きなデッドホールド性が発現する蓋材（２０）とすることができる。
【００２３】
本発明の蓋材（２０）において、図３に示すように、そのサイズなどにもよるが、蓋材（２０）を構成する万線状の接着部（１７）の幅（Ｗ）は、２〜１０ｍｍ程度、そのピッチ幅（Ｙ）は、３〜１０ｍｍ程度が好ましく、接着部（１７）と非接着部（１８）の比は、１／１〜１／４程度が好ましく、非接着部（１８）の比率が大きい方がデッドホールド性の発現にはより好ましい。
【００２４】
また、上記の易ピール性シーラント層（１６）等への複数本の切込み線（３０）としては、ミシン目あるいはカッターやレーザーによるハーフカット溝の刻設で形成される。また紙層（１４）への切込み線（３０）の形成は、カッター等によるハーフカット溝あるいはミシン目の刻設で形成され、いずれの場合も少なくとも非接着部（１８）に掛かるように形成した方がデッドホールド性の発現には効果的である。
【００２５】
以下に本発明の蓋材（２０）を構成する各層の材料等について説明する。
まず本発明の蓋材（２０）を構成する最外層の紙層（１４）としては、少なくとも表面が白色で多色印刷適性を有するものが好ましく、例えば坪量５０ｇ／ｍ2 〜１２０ｇ／ｍ2 程度、好ましくは７５ｇ／ｍ2 〜１００ｇ／ｍ2 程度の両アート紙、片アート紙あるいは両面、片面コート紙などを好適に使用することができる。
【００２６】
また、最内層としての易ピール性シーラント層（１６）としては、ヒートシール性に優れる樹脂として直鎖低密度ポリエチレン（ＬＬＤＰＥ）、低密度ポリエチレン（ＬＤＰＥ）、高密度ポリエチレン（ＨＤＰＥ）、無延伸ポリプロピレン（ＣＰＰ）等のポリオレフィン系樹脂が好適に用いられるが、これら樹脂のみでは接着強度と剥離強度のバランスがとれないことがあるので、例えばこれらポリオレフィン樹脂にさらにポリスチレンやポリブデン等からなる、このポリオレフィン樹脂に対し不相溶性成分を混合したものとすることもでき、これら樹脂を溶融樹脂を押出して易ピール性シーラント層（１６）とするものである。また、エチレン−酢酸ビニル共重合樹脂、エチレン−アクリル酸共重合樹脂等からなるホットメルト接着剤を塗布量１５〜２５ｇ／ｍ2 程度で設けてもよく、これら易ピール性シーラント層（１６）によって容器本体（１０）のフランジ部（１２）との十分な密封性と剥離開封性を可能とすることができる。
【００２７】
また、本発明の蓋材（２０）を構成する基材フィルム層（１５）としては、例えば厚さ１５μｍ程度のポリエチレンテレフタレートフィルム（ＰＥＴ）、延伸ポリエチレンフィルム（ＯＰＥ）、二軸延伸ポリプロピレンフィルム（ＯＰＰ）、延伸ナイロンフィルム（ＯＮｙ）などが挙げられ、用途等に応じて適宜選定できる。
【００２８】
また、本発明の蓋材（２０）を構成する接着部（１７）を形成する接着剤としては、例えばポリエステル／ウレタン系、ポリエーテル／ウレタン系あるいはポリエステルポリオール系のドライラミネーション用接着剤が耐熱性等の点から好適に用いられ、グラビア印刷法によるパターン塗布によって万線状の接着部（１７）とすることができる。
【００２９】
以上のような構成の蓋材（２０）を用いて容器の開口部を密封した場合、例えば即席ラーメン等の容器の開封は、図６の斜視図に示すように、周縁の開封用プルタブ（２２）を指で摘まみ持ち上げて容器本体（１０）のフランジ部（１２）から蓋材（２０）をその略中心部まで剥離すると、剥離方向（Ｐ）と直交する万線状の接着部（１７）によってデッドホールド性が発現し、蓋材（２０）は半開きのままとなる。この半開きの状態で、即席麺等では容器本体（１０）の開口部（２４）より熱湯を注ぎ易くし、麺をほぐし温めた後、再度この半開きの状態として飲食し易くすることも可能である。またゼリー状菓子やヨーグルト用容器の蓋材（２０）とした場合でも、蓋材（２０）を半開きにした状態のままで食し易いものとすることができる。
【００３０】
【実施例】
次に実施例により、本発明を具体的に説明する。
〈実施例１〉
図２（ａ）に示すように、紙層（１４）として、表面に絵柄等が印刷された坪量１００ｇ／ｍ2 のコート紙を用いて、その裏面にポリエステル・ウレタン系のドライラミネーション用接着剤：Ａ−５１５／Ａ−５０（武田薬品工業社製）をグラビアコート法にて線幅３ｍｍ、ピッチ幅１０ｍｍの万線状の接着部（１７）を３ｇ／ｍ2 の塗布量で塗布、乾燥し、その面がまだ粘着状態の時に厚さ１２μｍのＰＥＴフィルムを基材フィルム（１５）としてラミネートし、上記と同様のドライラミネーション用接着剤を介して、ポリエチレンに不相溶性成分であるポリブデンを混合した厚さ３５μｍのイージーピールフィルム：商品名ＣＦ７６０１（東レ合成社製）を易ピール性シーラント層（１６）として加圧接着して積層体とし、その積層体を小断ちし、打ち抜いて１００ｍｍφの蓋材（２０）を得た。この時の紙目の方向は、万線状の接着部（１７）の延びる方向と同じ方向とした。
【００３１】
〈実施例２〉
上記紙目の方向が、万線状の接着部（１７）の延びる方向と４５°の方向とした以外は、実施例１と同様にして蓋材（２０）を得た。
【００３２】
〈実施例３〉
上記紙目の方向が、万線状の接着部（１７）の延びる方向と９０°すなわち直交する方向とした以外は、実施例１と同様にして蓋材（２０）を得た。
【００３３】
〈実施例４〉
図４に示すように、実施例１で得られた積層体の易ピール性シーラント層（１６）と基材フィルム層（１５）に、炭酸ガスレーザーで切込み線（３０）をピッチ幅６ｍｍで、万線状の接着部（１７）の延びる方向と平行に刻設し、その積層体を小断ちし、打ち抜いて１００ｍｍφの蓋材（２０）を得た。この時の紙目の方向は、万線状の接着部（１７）の延びる方向と同じ方向とした。
【００３４】
〈比較例１〉
図２（ａ）に示す万線状の接着部（１７）を全面接着とし非接着部（１８）のない状態とした以外は、実施例１と同様にして試験用の蓋材を得た。
【００３５】
〈比較例２〉
厚さ１２μｍのＰＥＴフィルムに代わり、厚さ７μｍのアルミニウム箔とした以外は、比較例１と同様にして試験用蓋材を得た。即ち従来のアルミニウム箔が積層された蓋材とした。
【００３６】
上記実施例１〜４および比較例１、２で得られた蓋材を、図１に示すように、容器本体（１０）としての紙カップの幅３ｍｍのフランジ部（１２）にヒートシールで密封し、即席麺用のカップの資料とし、それら蓋材を開封した時のデッドホールド性（◎は非常によい、○はよい、△は必要程度によい、×は悪い、××は非常に悪い）を目視判定で評価し、表１に示した。
【００３７】
【表１】
0004677669.tif 000002
【００３８】
上記表１より、万線状の接着部（非接着部）の延びる方向と紙目方向が一致し、さらに裏面の易ピール性シーラント層等に切込み線を入れた実施例４の蓋材は、従来のアルミニウム箔が積層された比較例２の蓋材とほぼ同程度のデッドホールド性を有するものであった。また、紙目方向が万線状の接着部の延びる方向と平行にした実施例１の蓋材では、実施例２、実施例３の４５°、９０°にした蓋材に比べデッドホールド性に優れるものであった。
【００３９】
【発明の効果】
本発明は以上の構成であるから、下記に示す如き効果がある。
即ち、容器本体の上端開口部を密封するアルミニウム箔を含まない蓋材で、最外層が紙層で、最内層が易ピール性シーラント層でなり、それらの間に基材フィルム層を有し、外周縁に開封用プルタブを有する蓋材において、前記紙層の裏面と基材フィルム層面とが前記開封用プルタブの剥離方向と直交する方向に延びる万線状の接着部を設けることによって、開封用プルタブを持って剥離開封すると、前記万線状の接着部以外の非接着部で折り曲げられ易くなるので、アルミニウム箔が含まれていなくともデッドホールド性のある蓋材とすることができる。
【００４０】
また、上記万線状の接着部以外の非接着部の延びる方向が紙目と略同じ方向とすることによって、紙層の万線状の非接着部で紙目に沿ってより曲がり易くなり、よってより大きなデッドホールド性が発現する蓋材とすることができる。
【００４１】
さらにまた、裏面の易ピール性シーラント層から複数本の切込み線を、あるいは表面の紙層から複数本の切込み線もしくは折り罫を万線状の接着部と平行に設けることによって、紙層が切込み線もしくは折り罫に従って曲がり易くなり、さらにより大きなデッドホールド性が発現する蓋材とすることができる。
【００４２】
以上の如く本発明は、廃棄物に係わる環境問題の危惧がなく、金属探知機による製品の検査を可能にし、アルミニウム箔が含まなくとも充分なデッドホールド性を発現する蓋材を提供することができる。
【００４３】
従って本発明は、即席麺、即席スープ等の他、ゼリー状菓子類やヨーグルトなどの容器の蓋材の如き用途において、優れた実用上の効果を発揮する。
【図面の簡単な説明】
【図１】本発明の蓋材が適用される容器の一実施の形態を説明するための斜視図である。
【図２】本発明の蓋材の一実施の形態を説明するもので、
（ａ）は、その積層側断面図であり、
（ｂ）は、他の積層側断面図であり、
【図３】本発明の蓋材の一実施の形態を説明する上面図である。
【図４】本発明の蓋材の他の一実施の形態を説明するための積層側断面図である。
【図５】本発明の蓋材の他の一実施の形態を説明するための積層側断面図である。
【図６】本発明の蓋材が適用される容器の開封状態の一実例を説明するための斜視図である。
【符号の説明】
１０‥‥容器本体
１２‥‥フランジ部
１４‥‥紙層
１５‥‥基材フィルム層
１６‥‥易ピール性シーラント層
１７‥‥万線状の接着部
１８‥‥万線状の非接着部
２０‥‥蓋材
２２‥‥開封用プルタブ
２４‥‥開口部
３０‥‥切込み線
３２‥‥折り罫
Ｋ‥‥紙目方向
０‥‥万線状の接着部の延びる方向
Ｐ‥‥フランジ部からの剥離方向
Ｗ‥‥万線状の接着部の幅
Ｘ‥‥万線状の接着部のピッチ幅
Ｙ‥‥万線状の非接着部の幅
【図１】
0004677669.tif 000003
【図２】
0004677669.tif 000004
【図３】
0004677669.tif 000005
【図４】
0004677669.tif 000006
【図５】
0004677669.tif 000007
【図６】
0004677669.tif 000008